(57)【要約】      （修正有）【課題】安価な条件でペットの行動特性を詳細に判別し、また、当該判別結果に基づく飼育方法も提供する。【解決手段】行動特性検査システムに、検体であるペットのイントロンの対立遺伝子とエクソンの対立遺伝子とを特定する特定手段と、前記特定手段によって特定された各対立遺伝子に基づいて前記ペットの行動特性を判別する判別手段と、を有する検査装置１００と、ペットの種別毎に、イントロンの対立遺伝子とエクソンの対立遺伝子とに基づいて判別された行動特性と、当該行動特性に基づいて推奨されるペットの飼育手法とが、格納されているデータベースと、検査装置１００による検査結果と前記ペットの種別とに基づいてデータベース２００から当該検査結果に対応する飼育方法を提供する提供装置と、を備える。【選択図】図１
2018038325.tif 000002
【特許請求の範囲】
【請求項１】
検体であるペットのイントロン２の対立遺伝子とエクソン１の対立遺伝子とを特定する特定手段と、前記特定手段によって特定された各対立遺伝子に基づいて前記ペットの行動特性を判別する判別手段と、を有する検査装置と、
ペットの種別毎に、イントロン２の対立遺伝子とエクソン１の対立遺伝子とに基づいて判別された行動特性と、当該行動特性に基づいて推奨されるペットの飼育手法とが、格納されている格納媒体と、
前記検査装置による検査結果と前記ペットの種別とに基づいて前記格納媒体から当該検査結果に対応する飼育方法を提供する提供装置と、
を備える、行動特性検査システム。
【請求項２】
前記提供装置は、前記イントロン２の対立遺伝子と前記エクソン１の対立遺伝子との優性／劣性によって規定される合計９つのタイプのうち、いずれに該当するかを示す行動特性結果を提供する、請求項１記載の行動特性検査システム。
【請求項３】
前記提供装置は、人への関心度、防衛本能度、集中力の程度、飼い主への服従心、食物・臭いへの執着心の程度、他犬への関心度のうち２つ以上の情報について提供する、請求項１記載の行動特性検査システム。
【請求項４】
さらに、前記特定手段は、イントロン２の対立遺伝子とエクソン１の対立遺伝子とに加えて、イントロン３の対立遺伝子の特定も行い、かつ、前記判別手段は、これらの３つの対立遺伝子に基づいて詳細な行動特性の判別を行う、請求項１記載の行動特性検査システム。
【請求項５】
検体であるペットのイントロン２の対立遺伝子とエクソン１の対立遺伝子とを特定する特定手段と、
前記特定手段によって特定された各対立遺伝子に基づいて前記ペットの行動特性を判別する判別手段と、を備える検査装置。
【発明の詳細な説明】
【技術分野】
【０００１】
本発明は、ペットの行動特性検査装置及びシステムに関し、特に、ＤＮＡ検査を行うことによって、犬、猫などのペットの行動特性を検査する行動特性検査装置及びシステムに関する。
【背景技術】
【０００２】
特許文献１には、所定の行動特性を発現しやすい犬の個体を容易に選別することができる犬の選別方法、及びその選別方法に使用されるＰＣＲプライマー及びポリヌクレオチドプローブについて開示されている。この犬の選別方法は、前記イントロン２の対立遺伝子を調べ、該対立遺伝子の遺伝子型に基づいて犬を選別するものである。この選別方法としては、犬の個体からゲノムＤＮＡを抽出し、イントロン２の対立遺伝子の両末端に結合する一対のＰＣＲプライマーを用いてＰＣＲ反応を行った後、得られたＰＣＲ産物の長さに基づいて対立遺伝子の遺伝子型を識別するのが最も簡便である、とされている。
【０００３】
【特許文献１】特開２００７−１５９５９５号公報
【発明の概要】
【発明が解決しようとする課題】
【０００４】
しかし、特許文献１に開示されている犬の選別方法は、要するに、イントロン２の対立遺伝子に基づいて犬の行動特性を判別しているが、犬の行動特性を詳細に判別することまでには至っていない。
【０００５】
そして、例えば、ペットショップにおける販売対象の子犬に対して、詳細な行動特性を顧客に示すことができれば、飼い主は、それぞれの家庭事情、自分自身の好みなどに合わせて、「従順」な犬だとか、「社交的」な犬だとか、「番犬に向いている」犬などを購入対象として選択することが可能となる。
【０００６】
そうすると、飼い主とペットとのミスマッチな組み合わせが減ることになるので、これに起因する殺処分などのいわゆる捨て犬問題もこれに応じて減ることになるから、犬の行動特性を詳細に判別することは重要である。
【０００７】
一方で、検査対象の対立遺伝子が増えれば増えるほど、行動特性を詳細に判別することはできるようになるであろうが、これでは検査費用が増加してしまい、例えば、ペットの購入時の飼い主の負担が費大きくなることも考えられるので、どのような対立遺伝子に基づいてペットの行動特性を判別するかという点も重要である。
【０００８】
また、飼い主にとって有益な情報は、特許文献１で得られるような犬の選別結果ではなく、ペットの行動特性に基づく飼育方法（躾方法を含む）であろう。そのペットに合わない飼育をすると、ペットにストレスを与えることになり、ペットが問題行動を起こす原因にもなりかねない。
【０００９】
したがって、捨て犬・捨て猫問題などといったペット問題を解消するためには、適切な飼育方法を飼い主に提供することは重要であるものの、この情報については特許文献１において考察されていない。
【００１０】
そこで、本発明は、上記各事情に鑑みて、安価な条件でペットの行動特性を詳細に判別し、また、当該判別結果に基づく飼育方法も提供することを課題とする。
【課題を解決するための手段】
【００１１】
上記課題を解決するために、本発明のペットの行動特性検査装置及びシステムは、
検体であるペットのイントロン２の対立遺伝子とエクソン１の対立遺伝子とを特定する特定手段と、
前記特定手段によって特定された各対立遺伝子に基づいて前記ペットの行動特性を判別する判別手段と、を有する検査装置を備える。
【００１２】
また、本発明の行動特性検査システムは、ペットの種別毎に、イントロン２の対立遺伝子とエクソン１の対立遺伝子とに基づいて判別された行動特性と、当該行動特性に基づいて推奨されるペットの飼育手法とが、格納されている格納媒体と、
前記検査装置による検査結果と前記ペットの種別とに基づいて前記格納媒体から当該検査結果に対応する飼育方法を提供する提供装置と、
を備える。
【００１３】
前記検査装置は、検体であるペットのイントロン２の対立遺伝子が、ショートフォーム（Ｓ）／ショートフォーム（Ｓ）と、ロングフォーム（Ｌ）／ショートフォーム（Ｓ）と、ロングフォーム（Ｌ）／ロングフォーム（Ｌ）と、のいずれに該当するかという検査と、
前記エクソン１の対立遺伝子が、ショートフォーム（Ｐ）／ショートフォーム（Ｐ）と、ロングフォーム（Ｑ）／ショートフォーム（Ｐ）と、ロングフォーム（Ｑ）／ロングフォーム（Ｑ）と、のいずれに該当するかという検査と、を行うことができる。
【００１４】
前記提供装置は、前記イントロン２の対立遺伝子と前記エクソン１の対立遺伝子との優性／劣性によって規定される合計９つのタイプのうち、いずれに該当するかを示す行動特性結果を提供することができる。
【００１５】
前記提供装置は、人への関心度、防衛本能度、集中力の程度、飼い主への服従心、食物・臭いへの執着心の程度、他犬への関心度のうち２つ以上の情報について提供することができる。
【００１６】
さらに、前記特定手段は、イントロン２の対立遺伝子とエクソン１の対立遺伝子とに加えて、エクソン３の対立遺伝子の特定も行い、かつ、前記判別手段は、これらの３つの対立遺伝子に基づいて詳細な行動特性の判別を行ってもよい。
【図面の簡単な説明】
【００１７】
【図１】本発明の実施形態のペットの行動特性検査システムの模式的な構成を示すブロック図である。
【図２】図１に示す提供装置によって提供される行動特性とペットの飼育方法とを示す図である。
【符号の説明】
【００１８】
１００  検査装置
２００  データベース
３００  提供装置
３１０  遺伝子マーカー表示領域
３２０  行動特性タイプ表示領域
３３０  行動特性分析チャート表示領域
３４０  飼育方法表示領域
３５０  躾方法表示領域
【発明を実施するための形態】
【００１９】
以下、本発明の実施形態について図面を参照して説明する。なお、各図面で同様の部分には、同一符号を付している。
【００２０】
図１は、本発明の実施形態の飼育方法提供システムの主要な構成を示すブロック図である。図１には、以下説明する、検査装置１００と、データベース２００と、提供装置３００と、ネットワーク４００と、を示している。
【００２１】
検査装置１００は、検体となるペットから採取された例えば頬の組織などから、そのゲノムＤＮＡを解析するために、ドーパミンＤ４受容体（ＤＲＤ４）遺伝子であるイントロン２の対立遺伝子とエクソン１の対立遺伝子とを特定する特定手段を備える。なお、検査装置１００は、これらの特定に加えて、エクソン３の対立遺伝子の特定も行ってもよい。
【００２２】
また、検査装置１００は、特定手段によって特定された各対立遺伝子の優性／劣性の組み合わせに基づいてペットの行動特性を判別する判別手段を備える。検査装置１００は、既知のものを用いることができるが、一例を示すと、エッペンドルフ社のＭａｓｔｅｒｃｙｃｌｅｒｒ（登録商標）ｎｅｘｕｓ、ＰＣＲ  Ｂｉｏ−ｒａｄ社のＴ−１００、Ｒｅａｌｔｉｍｅ ＰＣＲ  Ｔｈｅｒｍｏ ｓｃｉｅｎｔｉｆｉｃ社の７５００リアルタイムＰＣＲシステム、Ｂｉｏ−ｒａｄ社のＣＦＸ９６などを用いることができる。
【００２３】
ここで、イントロン２の対立遺伝子は、ショートフォーム（Ｓ）／ショートフォーム（Ｓ）と、ロングフォーム（Ｌ）／ショートフォーム（Ｓ）と、ロングフォーム（Ｌ）／ロングフォーム（Ｌ）という３タイプがある。また、エクソン１の対立遺伝子は、ショートフォーム（Ｐ）／ショートフォーム（Ｐ）と、ロングフォーム（Ｑ）／ショートフォーム（Ｐ）と、ロングフォーム（Ｑ）／ロングフォーム（Ｑ）、という３タイプがある。
【００２４】
したがって、検査装置１００は、検査対象のペットのイントロン２の対立遺伝子が、「Ｓ／Ｓ」と「Ｌ／Ｓ」と「Ｌ／Ｌ」とのいずれであるかということと、エクソン１の対立遺伝子が、「Ｐ／Ｐ」と「Ｑ／Ｐ」と「Ｑ／Ｑ」とのいずれであるかということとを判別することになる。
【００２５】
データベース２００は、ペットの種別毎に、イントロン２の対立遺伝子とエクソン１の対立遺伝子とに基づいて判別された行動特性と、当該行動特性に基づいて推奨されるペットの躾方法を含む飼育手法とが、格納されているものである。
【００２６】
具体的には、データベース２００には、犬なら犬、猫なら猫、さらに、犬の中でも、トイプードル犬ごと、チワワ犬ごと、柴犬ごとなどの犬種ごとに、猫ならシャム猫ごと、ペルシャ猫ごとなどの猫種ごとに、３タイプのイントロン２の対立遺伝子と、３タイプのエクソン１の対立遺伝子との掛け合わせによる、合計９タイプの各々の行動特性と、当該行動特性に基づいて推奨されるペットの躾方法を含むペットの飼育方法とが、格納されている。
【００２７】
提供装置３００は、検査装置１００による検査結果と検体であるペットの種別とに基づいてデータベース２００から当該検査結果に対応する行動特性及び飼育方法を提供するものである。
【００２８】
提供装置３００によって示される行動特性とは、検体のペットが、上記の合計９タイプのうち、いずれのタイプに属するかを示すものである。また、飼育方法とは、検体のペットの種別に応じて、人への関心度、防衛本能度、集中力の程度、飼い主への服従心、食物・臭いへの執着心の程度、他犬への関心度のうち２以上の情報と、検体のペットに推奨される躾方法を示す情報とをいう。
【００２９】
ここで、検体のペットの種別、人への関心度等を提供する理由は、以下のとおりである。すなわち、例えば、ペットが犬である場合を例に説明すると、ともにイントロン２の対立遺伝子がＳ／Ｓであり、かつ、エクソン１の対立遺伝子がＰ／Ｐであるトイプードル犬とチワワ犬とでは、必ずしも、人への関心度等が同じではないことによる。
【００３０】
つまり、トイプードル犬でいう人への関心度が高いということと、チワワ犬でいう人への関心度が高いということとでは、必ずしも、同程度の高さの関心度があるとは言えないのである。したがって、本実施形態では、提供装置３００は、犬などのペットの「種別」の情報と「イントロン２の対立遺伝子」の情報と「エクソン１の対立遺伝子」の情報とに基づいて飼育方法を提供している。
【００３１】
これを実現するために、既述のように、データベース２００に対して、予め、ペットの「種別」情報ごとに、合計９パターンの飼育方法を、格納しておくことが必要である。この点については、図２を用いて更に具体例を説明する。
【００３２】
ネットワーク４００は、インターネット、イントラネットなどの各種ネットワークであり、検査装置１００とデータベース２００と提供装置３００とを相互に接続するものである。
【００３３】
図２は、図１に示す提供装置３００によって提供される行動特性とペットの飼育方法とを示す図である。図２には、以下説明する、遺伝子マーカー表示領域３１０と、行動特性タイプ表示領域３２０と、行動特性分析チャート表示領域３３０と、飼育方法表示領域３４０と、躾方法表示領域３５０と、を示している。
【００３４】
遺伝子マーカー表示領域３１０は、検査装置１００の特定手段によって特定されるイントロン２の対立遺伝子とエクソン１の対立遺伝子とを示す遺伝子マーカーを表示する領域である。ここでは、ＥｘｏｎＩ（エクソン１）用のサイズマーカーとＥｘｏｎＩ（エクソン１）検体とＥｘｏｎＩ（エクソン１）マーカーとを示すとともに、ＩｎｔｒｏｎII（イントロン２）用のサイズマーカー、ＩｎｔｒｏｎII（イントロン２）検体、ＩｎｔｒｏｎII（イントロン２）マーカーとを示している。
【００３５】
本実施形態では、遺伝子マーカー表示領域３１０を設けているが、イントロン２の対立遺伝子とエクソン１の対立遺伝子との内容が把握できるのであれば、必ずしも遺伝子マーカー自体を表示する必要はないし、そもそも、行動特性タイプ表示領域３２０の表示内容にも含まれることもあるので、この種の情報は表示しなくてもよい。
【００３６】
行動特性タイプ表示領域３２０は、検査装置１００の特定手段による特定結果から、検体であるペットが３タイプ×３タイプの合計９タイプのうち、いずれのタイプに属するかが示される領域である。ここでは、ＥｘｏｎＩ（エクソン１）が「Ｌ／Ｓ」であり、かつ、ＩｎｔｒｏｎII（イントロン２）が「Ｐ／Ｐ」である例を示している。
【００３７】
本実施形態では、横軸に３タイプのイントロン２の対立遺伝子の枠を設け、縦軸に３タイプのエクソン１の対立遺伝子の枠を設け、これらの３タイプ×３タイプの合計９タイプのいずれに検体のペットの検査結果が属するかをテーブル形式で示している。もっとも、検査結果の表示態様は、これに限定されるものではないし、この種の情報は表示しなくてもよい。
【００３８】
行動特性分析チャート表示領域３３０は、検査装置１００による検査結果であるところの、検体であるペットの行動特性の優性／劣性が示される領域である。ここで、図２に示す例は、例えば「人への関心度」が１０段階で１０評価がついているが、この評価は絶対評価としてもよいし、相対評価としてもよい。ここでは、「人への関心度」が「１０」、「防衛本能」が「８」、「集中力」が「８」、「服従心」が「１０」、「食べ物・臭いへの執着心」が「８」、「他犬への関心度」が６である例を示している。
【００３９】
したがって、例えば、行動特性タイプ表示領域３２０において「Ｐ／Ｐ」かつ「Ｌ／Ｓ」に属している柴犬が、これとは異なる例えば「Ｐ／Ｑ」かつ「Ｓ／Ｓ」に属している柴犬よりも「人への関心度」が優性であるということを示してもよい。係る場合には、例えば、犬種として柴犬の購入を検討している者にとっては、柴犬についてのイントロン２の対立遺伝子とエクソン１の対立遺伝子とに基づいて、購入すべき個体を選定しやすいという利点がある。
【００４０】
或いは、行動特性タイプ表示領域３２０において、ともに「Ｐ／Ｐ」かつ「Ｌ／Ｓ」に属している柴犬と秋田犬との間では、「人への関心度」が１０段階で１０評価であったとしても、同水準の「人への関心度」があるとは必ずしも言えないから、犬の種別による重みづけをした評価としてもよい。係る場合には、ペットショップに足を運んで犬種に関係なくペットの購入を検討している者にとっては、行動特性に基づいて、犬種を選定しやすいという利点がある。
【００４１】
つまり、行動特性タイプ表示領域３２０に表示される情報は、当該検体であるペットの種別固有の評価とした場合にも、当該種別の特性を考慮した評価とした場合にも、それぞれの利点があるので、いずれの表示をするかについては、依頼者の要求に応じて適宜選択すればよい。
【００４２】
飼育方法表示領域３４０は、行動特性分析チャート表示領域３３０に示す領域について、検体であるペットの「種別」の情報と、「イントロン２の対立遺伝子」の情報と「エクソン１の対立遺伝子の情報とに基づく、ペットの飼育方法についての手法が示される領域である。ここでは、「人への関心度」等についての個別のコメントと総括のコメントとが記載されている。
【００４３】
このように、飼育方法表示領域３４０に表示する情報について、「種別」も考慮した情報としている理由は、上記の例で言えば、「人への関心度」が１０段階で１０評価であるトイプードル犬については「人への関心度」に関して「人とのスキンシップやコミュニケーションをたくさん取ってあげること」が大切であっても、「人への関心度」が１０段階で１０評価である別の種類の犬については例えば「散歩にいったときに、ボール遊びをすること」が大切であるかもしれないということによる。
【００４４】
躾方法表示領域３５０は、検体であるペットの躾方法が示される領域である。この領域に表示される躾方法も、ペットの「種別」の情報と、「イントロン２の対立遺伝子」の情報と、「エクソン１の対立遺伝子」の情報とに基づくものとなる。ペットの「種別」の情報も考慮する点は、飼育方法表示領域３４０に表示する情報の場合と同じ理由である。
【００４５】
なお、既述のように、データベース２００には、犬の「種別」の情報ごとに、合計９パターンの躾方法が予め格納されているが、具体的には、図２に示す情報全体が、特定の犬の特定の１パターンについての行動特性及び躾方法を示す情報である点に留意されたい。
【００４６】
したがって、図２に付帯する例を挙げると、図２のものは、例えば、「トイプードル犬」についての「Ｐ／Ｐ」かつ「Ｌ／Ｓ」についての提供情報になるので、この他に「トイプードル犬」についての「Ｐ／Ｐ」かつ「Ｓ／Ｓ」、「トイプードル犬」についての「Ｐ／Ｐ」かつ「Ｌ／Ｌ」・・・「トイプードル犬」についての「Ｑ／Ｑ」かつ「Ｌ／Ｓ」、「トイプードル犬」についての「Ｑ／Ｑ」かつ「Ｌ／Ｌ」といった残りの８パターンはもとより、「柴犬」についての９パターンについても、「秋田犬」についての９パターンについても、「マルチーズ」の９パターンについても、データベース２００には予め格納されている。
【００４７】
つづいて、ペットの行動特性検査システムの動作例について説明する。まず、本システムの管理者など情報提供者に対して、ペットショップ又はペットの飼育者から、行動特性の検査依頼があったとする。
【００４８】
係る場合には、この情報提供者は、当該ペットの種別、性別、生年月日などの情報を取得するとともに、ＤＮＡ解析に必要なペットの頬肉などの組織を取得するために、これらの情報及び組織の採取を飼育者等の依頼主に指示する。
【００４９】
飼育者等は、これに応じて、上記情報及び組織の採取を行うと、それらを手渡し又は郵送などによって、情報提供者に送る。情報提供者は、これらを取得すると、パーソナルコンピュータを操作するなどして、これらの情報に対して、検体固有の識別番号を付してから、提供装置３００を通じてデータベース２００に対して、一組の情報群として送信して、データベース２００に格納させる。
【００５０】
また、情報提供者は、採取された組織については、この識別番号とともに、検査担当者に手渡し又は郵送などによって送る。検査担当者は、検査装置１００を操作することによって、検体となるペットの組織からイントロン２の対立遺伝子とエクソン１の対立遺伝子とを特定手段によって特定するとともに、特定手段によって特定された各対立遺伝子の優性／劣性の組み合わせに基づいてペットの行動特性を判別する。
【００５１】
これにより、検査装置１００から、検査対象のペットのイントロン２の対立遺伝子が、「Ｓ／Ｓ」と「Ｌ／Ｓ」と「Ｌ／Ｌ」とのいずれであるかということと、エクソン１の対立遺伝子が、「Ｐ／Ｐ」と「Ｑ／Ｐ」と「Ｑ／Ｑ」とのいずれであるかということとが検査結果として出力される。
【００５２】
つぎに、検査担当者は、図示しないパーソナルコンピュータなどを用いて、情報提供者から検体の組織とともに送られてきた識別番号に基づいて データベース２００にアクセスして、当該識別番号に対応する一組の情報群に対して、検査装置１００による検査結果を追加する態様で上書きする。
【００５３】
具体的には、検査対象のペットのイントロン２の対立遺伝子を示す情報と、エクソン１の対立遺伝子を示す情報と、遺伝子マーカーの画像情報とが、一組の情報群に追加されることになる。
【００５４】
その後、データベース２００では、一組の情報群に対する上書き完了をトリガとして、その一組の情報群と、予め格納されているペットの「種別」情報ごとの合計９パターンの飼育方法とが照合され、対応するパターンの飼育方法と紐づけがなされる。
【００５５】
これにより、情報提供者は、識別番号に基づいてデータベース２００にアクセスすることによって、当該識別番号に対応する図２に示す情報を取得することができる。実際に、情報提供者は、図２に示す情報を取得すると、当該情報を依頼主に送ることになろう。
【００５６】
以上説明したように、本実施形態のペットの行動特性検査システムによれば、安価な条件でペットの行動特性を詳細に判別することができ、加えて、当該判別結果に基づく飼育方法も提供することができる。
【図１】
2018038325.tif 000003
【図２】
2018038325.tif 000004